(57)【要約】【課題】大人と子ども、男性と女性、温水洗浄便座の有無などのトイレにおけるトイレットペーパーの使用形態の違いによっては、必ずしもＪＩＳ規格に定められた１１４ｍｍのロール幅を必要とせずに、ロール幅を小柄な人にとっての手のひらに合う小さなサイズにして、使いやすくかつ環境に配慮した省資源化を可能とするトイレットペーパーを提供する。【解決手段】紙製のシートを巻回するトイレットペーパーにおいて、ロール幅を７５ｍｍを中心として７０ｍｍ〜８０ｍｍとする。トイレットペーパーの中心穴は、既存のペーパーホルダーに装填される直径と幅径からなる筒体を挿入可能な寸法形状とする。【選択図】図１
0003176766.tif 000002
【実用新案登録請求の範囲】
【請求項１】
紙製のシートを巻回するトイレットペーパーにおいて、ロール幅を７５ｍｍを中心として７０ｍｍ〜８０ｍｍとすることを特徴とするトイレットペーパー。
【請求項２】
トイレットペーパーの中心穴は、既存のペーパーホルダーに装填される直径と幅径からなる筒体を挿入可能な寸法形状とすることを特徴とする請求項１に記載のトイレットペーパー。
【考案の詳細な説明】
【技術分野】
【０００１】
本考案は、ロール型のトイレットペーパーに係り、特に使いやすくかつ環境に配慮した省資源化を可能とする新規なトイレットペーパーに関するものである。
【背景技術】
【０００２】
旧来から日本のトイレでは、Ｂ５版サイズの大きさの、通称ちり紙が利用されていたが、水洗式トイレの普及に伴いちり紙に替わって巻き取り式のロール状のトイレットペーパーが普及するようになった。
そして、トイレットペーパーが普及するに連れて、使用者の利便性のためにミシン目を入れたり、２枚重ねにしたり、下水処理を行いやすくするために水に濡れると繊維がほぐれる材質にしたり、香りをつけたりするなど、各種の改良が施されてきた。
【０００３】
このトイレットペーパーの寸法は、ヨーロッパではメートル法に基づき１００ｍｍ幅が主流であるのに対し、米国では４インチ１／２に由来する１１４ｍｍ幅が主流であり、そして日本においても米国製のトイレットペーパー製造機械を導入したことなどから、この１１４ｍｍ幅が主流であり、ＪＩＳでもこの寸法に定められている。
ＪＩＳ規格に定められているロール型のトイレットペーパーの寸法は、ロール幅が１１４ｍｍ±２ｍｍ（４インチ１／２）、ロール内径が３８ｍｍ±１ｍｍ（１インチ１／２）、外径が１２０ｍｍ以下というように、インチサイズを基にして定められている。
そして、現在流通しているトイレットペーパーにあっては、ロール幅が１００〜１１４ｍｍ、外径が１００〜１１０ｍｍ、長さはシングルで５０〜６０ｍ、２枚重ねでは半分の２５〜３０ｍ、という寸法のものが多くなっている（特許文献１参照）。
さらに、トイレットペーパーを装填して使用するためのトイレットペーパーホルダーにあっても、このロール幅が１１４ｍｍのトイレットペーパーの形状・寸法に適用するようにして形状・寸法が設定され、使いやすい構造のトイレットペーパーホルダーが数多く普及し、トイレの個室ごとに設置されているものである。
【先行技術文献】
【特許文献】
【０００４】
【特許文献１】特開２０１０−２２１０４１号公報
【考案の概要】
【考案が解決しようとする課題】
【０００５】
トイレットペーパーと同様に、手で拭くことに用いるモノとして、ハンカチーフ、ふきん、おしぼり、雑巾などが存在するが、これらは何れも使いやすいように使用者の手のひらサイズに畳むなどされて用いられることが多く、トイレットペーパーについてもこれらと同様に手のひらサイズにして使用されることが多い。
そもそも、米国から日本にもたらされたロール型のトイレットペーパーも、元来、米国人の手のひらサイズ等の体型を基準にしてその寸法が設定されたはずであり、米国人よりも一般的に体型が小柄な日本人にとっては、上記ロール幅の１１４ｍｍは少し手に余るサイズであり、これよりも幅狭でも十分使用可能なはずである。
【０００６】
しかしながら、上述したように、規格化された寸法のトイレットペーパーが市場に普及し、これを装填するトイレットペーパーホルダーについても寸法が固定化されることとなり、これにより一定寸法のトイレットペーパーホルダーに装填することができないような、規格外の寸法のトイレットペーパーが流通することは、ほとんどなかった。
エコロジーなどの観点から、１ロール当たりの紙の量を減らすべく、ロール幅が１００〜１０５ｍｍというＪＩＳ規格寸法よりも若干幅狭のトイレットペーパーも数多く流通している。この寸法は、トイレットペーパーホルダーにぎりぎり収まるべく設定されたものであるが、ロール幅がＪＩＳ規格よりも約１０ｍｍ小さいからといって、１１４ｍｍのトイレットペーパーと比較して、特段使いづらいということもないものであった。しかしながら、この寸法であっても小柄な人にとっての手のひらサイズよりも大きく、そして温水洗浄便座の利用などを考慮した場合によっては、やはり少し手に余るサイズであるといえる。
このように、トイレットペーパーの使用形態の違いは明らかに存在するにもかかわらず、従来のトイレットペーパーとしては、これまで通りのロール幅が１００〜１１４ｍｍのものだけであり、子ども用のトイレットペーパーとか、女性用のトイレットペーパーとか、温水洗浄便座に適した形状のトイレットペーパーというものは存在しなかった。
【０００７】
本考案は、このような実情に鑑みてなされたものであり、大人と子ども、男性と女性、温水洗浄便座の有無などのトイレにおけるトイレットペーパーの使用形態の違いによっては、必ずしもＪＩＳ規格に定められた１１４ｍｍのロール幅を必要とせずに、ロール幅を小柄な人にとっての手のひらに合う小さなサイズにして、使いやすくかつ環境に配慮した省資源化を可能とするトイレットペーパーを提供しようとするものである。
【課題を解決するための手段】
【０００８】
上記解決課題に鑑みて鋭意研究の結果、本考案者は、トイレットペーパーのロール幅をこれまでになく大胆に幅狭に設定したトイレットペーパーを案出するに至った。
【０００９】
すなわち、本考案は、紙製のシートを巻回するトイレットペーパーにおいて、ロール幅を７５ｍｍを中心として７０ｍｍ〜８０ｍｍとすることを特徴とするトイレットペーパーを提供するものである。
これにより、女性や子どもなどの体型の小さな人の手のひらに収まるサイズのトイレットペーパーを提供することができ、手に余ることなく使いやすいものとなった。
【００１０】
また本考案は、トイレットペーパーの中心穴には既存のペーパーホルダーに装填される直径と幅径からなる筒体を挿入可能とする。
これにより、ロール幅の小さい本考案のトイレットペーパーの中心穴に、例えば約１００〜１１０ｍｍ幅の筒体を挿入することで、これまでのＪＩＳ規格に準拠した約１１４ｍｍ幅のトイレットペーパーを装填するトイレットペーパーホルダーに対して、確実かつ容易に装填することができる。
【図面の簡単な説明】
【００１１】
【図１】本考案のトイレットペーパーを、従来のトイレットペーパーと比較対照してロール幅の相違を示すものであり、図１（Ａ）は本考案のトイレットペーパー、図１（Ｂ）は従来のトイレットペーパーを示す説明図である。
【図２】本考案のトイレットペーパーを、従来のトイレットペーパーと比較対照してロール幅の相違を示すものであり、図２（Ａ）は本考案のトイレットペーパー、図２（Ｂ）は従来のトイレットペーパーを示す使用状態を示す説明図である。
【図３】本考案のトイレットペーパーに用いられる筒体を示す斜視図である。
【考案を実施するための形態】
【００１２】
以下、添付図面を参照しながら、本考案のトイレットペーパーを実施するための形態を詳細に説明する。図１乃至図３は、本考案の実施の形態を例示する図であり、これらの図において、同一の符号を付した部分は同一物を表わし、基本的な構成及び動作は同様であるものとする。
【００１３】
図１（Ａ）は、本考案に係るトイレットペーパー１を示し、このトイレットペーパー１は、ロール幅が約７５ｍｍ、外径が１００〜１１０ｍｍ、内径が約３８ｍｍという寸法であり、シート２枚重ねの長さが約２５ｍとするものである。本実施形態のトイレットペーパー１におけるシートの材質、シートのエンボス加工、ミシン目そして巻き芯の材質等については、従来のトイレットペーパーのものと同様であり、ロール幅を従来のものの約２／３としたことに最大の特徴がある。なおこのロール幅の寸法としては、７５ｍｍのみならず、製造ロットごとのバラツキも含めて７０ｍｍから８０ｍｍの範囲も含むこととする。
図１（Ｂ）は、従来のＪＩＳ規格に定められた、ロール幅が１１４ｍｍのトイレットペーパー２を示している。この２個のトイレットペーパーを比較すると、本実施形態のトイレットペーパー１のロール幅が、従来のものよりも明らかに小さいことが対照される。
【００１４】
このようなロール幅が小さい本実施形態のトイレットペーパー１にあっては、従来のサイズのトイレットペーパーホルダーに装填することができない。そこで、図２（Ａ）の使用状態を示す図のように、内径約３８ｍｍの中心孔に、外径が約３５ｍｍ、長さが約１１０ｍｍの中空の筒体３を挿入して、この筒体３をトイレットペーパーホルダー４に装填するものである。なお、本実施形態の筒体は、円筒形状であるが、必ずしも円筒形状に限られるものではなく、トイレットペーパー１の中心孔に挿入され、トイレットペーパーホルダー４に装填することができる寸法形状であれば、断面が多角形の筒状であったり、軸方向に多段構造であったりしてもよいものである。
【００１５】
筒体３の材質としては、トイレットペーパー１の重量を支持し、トイレットペーパーホルダー４に装填して回転可能な程度の強度を備えていればよく、厚紙、合成樹脂材、木材、金属などが考えられる。合成樹脂材とすれば、多量のモノを寸法精度良く、安価に製造することができる。
また、トイレットペーパー１の中心孔に筒体３を挿入してトイレットペーパーホルダー２に装填した場合、トイレットペーパー１はホルダーに対して３０〜４０ｍｍ程度の水平方向の隙間が生じることから、シートを引き出したり、シートを切断したりする際に、トイレットペーパー１が左右に動いてしまい、使いづらくなるおそれがある。
【００１６】
図３は、ロール幅が約７５ｍｍと幅狭なトイレットペーパー１を左右にがたつかせなくするために、上述した筒体３に改良を加えた筒体４を示している。
この筒体３は、筒体の一方端から約７５ｍｍの位置に、外径が３８ｍｍ以上、例えば約５５ｍｍのフランジ状のストッパー部３ａを突設している。
このような筒体３をトイレットペーパー１に挿入し、それをトイレットペーパーホルダー２に装填することにより、左右にがたつきを生じることなく、従来のトイレットペーパーと同様に支障なく使用することができる。
なお、このような筒体３に限ることなく、従来のＪＩＳ規格サイズのトイレットペーパーの巻芯を取り出し、これをトイレットペーパー１の中心孔に挿入して使用してもよいものである。外径が約４０ｍｍで内径が約３８ｍｍと、同じ寸法の筒体３と巻芯であっても、双方とも紙製ということもあって多少は変形することから、筒体３の中にこの巻芯を挿入することは可能である。
【００１７】
このようなロール幅に特徴を有する本考案のトイレットペーパーについて、本願出願人は２０１１年１１月と２０１２年２月に市場アンケートを行い、数十人の参加者にロール幅７５ｍｍのトイレットペーパーを使用してもらい、その使用感を募り、以下に、その使用した統計・感想等を列挙する通り、本考案のロール幅７５ｍｍのトイレットペーパーの有効性があることがわかる。
《使用統計》
・ロール幅  ７５ｍｍのトイレットペーパー１個の使い切る日数：３．２５日
・ロール幅１１０ｍｍのトイレットペーパー１個の使い切る日数：３．６７日
《考察》面積比で通常の約６８％である本考案のトイレットペーパーが、通常のトイレットペーパーの約８８％の使用量に対応している。このことは、通常のトイレットペーパーと同じ使用面積（使用量）を、よりも少ない面積の本考案のトイレットペーパーでまかなえることを示している。さらに、この中の６人中３人は、本考案のロール幅７５ｍｍのトイレットペーパー１個の使い切る日数（すなわち、使用ロール数／１日）が通常サイズのトイレットペーパーと同じだった。
このことから、本考案のトイレットペーパーは、あらゆる人にとって従来の１００〜１１４ｍｍのロール幅のトイレットペーパーに代えて使用することができるというほどではないものの、半数近くの人にとっては従来の１００〜１１４ｍｍのロール幅のトイレットペーパーの代替として互換性を有して用いることができる。
《ロール幅の感想》
「使う前は少し心許なかったけれど、使っていくうちに慣れて問題がなかった。」
「幅が狭くても何の問題も生じなかった。」
「掌にピッタリするサイズは、従来のサイズのものよりも手からはみ出す部分が少なくて使いやすい。」
「あと１ｃｍくらい横幅がほしい。」
「通常のトイレットペーパーの大きさは無駄がありすぎると感じる。」
「子どもがいる家庭で有効だと思う。」
「いつも使っている商品と変わりなかった。」
「温水洗浄機で洗浄した後で使用するには、この幅でも不自由しない。」
「子どもが紙を使いすぎてトイレを詰まらせることを防げると思う。」
「幅が狭くても、長さを余計に長く使うことはなかった。」
「女性や子どもなら、シートを折り畳まずに使えてぴったりのサイズで使いやすいが、手のひらの大きい男性には物足りないサイズ。」・・・など。
【００１８】
以上、本考案のトイレットペーパーについて、具体的な実施の形態を示して説明したが、本考案はこれらに限定されるものではない。当業者であれば、本考案の要旨を逸脱しない範囲内において、上記各実施形態におけるトイレットペーパーの構成及び機能に様々な変更・改良を加えることが可能である。
【産業上の利用可能性】
【００１９】
本考案のトイレットペーパーは、トイレットペーパーを製造する産業や一般家庭において利用することができるものである。
【符号の説明】
【００２０】
１  トイレットペーパー
３  筒体
３ａ  ストッパー部
４  トイレットペーパーホルダー
【図１】
0003176766.tif 000003
【図２】
0003176766.tif 000004
【図３】
0003176766.tif 000005